(57)【要約】【課題】外層ｏ内面に剥離可能な内層ｉを積層した積層構造で全体を形成した積層容器を更に改良し、より高い美観を得られ、しかも取り扱い上の便利さを伴い、また、購買意欲を増してより商品価値の高いデラミ容器を提案するものである。【解決手段】胴部２を物の形状に形成された装飾胴部2aとして構成し、該装飾胴部2aを特徴付ける装飾強調部12を形成する外層ｏ部分を少なくとも不透明外層部ｏ1 とし、それ以外の外層ｏ部分を透明外層部ｏ2 として形成した。そして、形状の特徴的な装飾強調部部分の内層が剥離しても、その部分の美観を損なわず、しかも透明外層部から内層の収縮状態、即ち収納物の減量状態を確認できる如く構成した。【選択図】図２
2005132431.tif 000002
【特許請求の範囲】
【請求項１】
外層ｏ内面に剥離可能な内層ｉを積層した積層構造で全体を形成した容器であって、胴部２を物の形状に形成された装飾胴部2aとして構成し、該装飾胴部2aを特徴付ける装飾強調部12を形成する外層ｏ部分を少なくとも不透明外層部ｏ1 とし、該不透明外層部ｏ1 以外の外層ｏ部分を透明外層部ｏ2 としたことを特徴とするデラミ容器。
【請求項２】
上記不透明外層部ｏ1 を上記胴部２の周方向半部かそれより広く設けてなる請求項１記載のデラミ容器。
【請求項３】
上記装飾胴部2aが動物の形状をなし、上記不透明外層部ｏ1 がその顔を含む上記胴部２の前半部であり、上記胴部２の後半部の上記外層ｏを上記透明外層部ｏ2 に形成してなる請求項１記載のデラミ容器。
【請求項４】
外層ｏ内面に剥離可能な内層ｉを積層した積層構造で全体を形成するとともに、胴部２の表面に加飾部16を塗布又は貼付けした容器であって、上記加飾部16部分の上記外層ｏ部分を少なくとも不透明外層部ｏ1 とし、該不透明外層部ｏ1 以外の外層ｏ部分を透明外層部ｏ2 としたことを特徴とするデラミ容器。
【請求項５】
上記不透明外層部ｏ1 を上記胴部２の周方向半部かそれより広く設けてなる請求項４記載のデラミ容器。
【請求項６】
上記加飾部16が、印刷により施された絵，文字，記号，模様のいずれか或いはこれらの複合であり、上記胴部２の前半部に形成された加飾部16であり、上記不透明外層部ｏ1 が、胴部２前面部の外層ｏ部分に形成されてなる請求項４記載のデラミ容器。
【発明の詳細な説明】
【技術分野】
【０００１】
本発明はデラミ容器に関する。
【背景技術】
【０００２】
デラミ容器として、胴部の上に口頸部を起立したボトルタイプであって、保形性を備えた外層の内面に剥離可能に内層を積層した全体構成のものが一般に知られている。これらは胴部を圧搾することにより内容物を口頸部より吐出したり、或いは、口頸部にポンプ等の吐出具を装着してそれらの汲み出しにより内容物を注出する如く使用している。内容物の吐出或いは注出により内層が外層より剥がれて、ほぼ収納物の体積通りの収縮状態となり、収納物の空気との接触を極力防止できるものである。
【０００３】
これらは上記の如き使用形態を採るため、外層を透明材質で形成して、内層の収縮の度合いを観察でき、収納物の残量を一目で判断できる如く構成しているのが一般的である。或いは、外層の一部を透明とするものも提案されている（特許文献１参照）。
【０００４】
上記特許文献１に記載の積層ボトルは、不透明な外側層と透明な内側層を剥離可能に配置し、外側層と内側層との間の少なくとも一部を接着帯で接続するとともに、外側層の一部を透明体として構成したものである。
【特許文献１】特許第２５７９３２０号公報
【発明の開示】
【発明が解決しようとする課題】
【０００５】
本発明は、上記したボトルタイプの積層容器を更に改良し、より高い美観を得られ、しかも取り扱い上の便利さを伴い、また、購買意欲を増してより商品価値の高いデラミ容器を提案するものである。
【課題を解決するための手段】
【０００６】
本請求項１発明のデラミ容器は、上記課題を解決するため、外層ｏ内面に剥離可能な内層ｉを積層した積層構造で全体を形成した容器であって、胴部２を物の形状に形成された装飾胴部2aとして構成し、該装飾胴部2aを特徴付ける装飾強調部12を形成する外層ｏ部分を少なくとも不透明外層部ｏ1 とし、該不透明外層部ｏ1 以外の外層ｏ部分を透明外層部ｏ2 としたことを特徴とするデラミ容器として構成した。
【０００７】
また、本請求項２発明のデラミ容器は、上記不透明外層部ｏ1 を上記胴部２の周方向半部かそれより広く設けてなる請求項１記載のデラミ容器として構成した。
【０００８】
また、本請求項３発明のデラミ容器は、上記装飾胴部2aが動物の形状をなし、上記不透明外層部ｏ1 がその顔を含む上記胴部２の前半部であり、上記胴部２の後半部の上記外層ｏを上記透明外層部ｏ2 に形成してなる請求項１記載のデラミ容器として構成した。
【０００９】
また、本請求項４発明のデラミ容器は、外層ｏ内面に剥離可能な内層ｉを積層した積層構造で全体を形成するとともに、胴部２の表面に加飾部16を塗布又は貼付けした容器であって、上記加飾部16部分の上記外層ｏ部分を少なくとも不透明外層部ｏ1 とし、該不透明外層部ｏ1 以外の外層ｏ部分を透明外層部ｏ2 としたことを特徴とするデラミ容器として構成した。
【００１０】
また、本請求項５発明のデラミ容器は、上記不透明外層部ｏ1 を上記胴部２の周方向半部かそれより広く設けてなる請求項４記載のデラミ容器として構成した。
【００１１】
また、本請求項６発明のデラミ容器は、上記加飾部16が、印刷により施された絵，文字，記号，模様のいずれか或いはこれらの複合であり、上記胴部２の前半部に形成された加飾部16であり、上記不透明外層部ｏ1 が、胴部２前半部の外層ｏ部分に形成されてなる請求項４記載のデラミ容器として構成した。
【発明の効果】
【００１２】
本発明のデラミ容器は、外層ｏ内面に剥離可能な内層ｉを積層した積層構造で全体を構成し、胴部２を生物や非生物などの物の形状に形成された装飾胴部2aとして構成したので、充分な美観を備え、また、装飾胴部2aを特徴付ける装飾強調部12を形成する外層ｏ部分を少なくとも不透明外層部ｏ1 とし、該不透明外層部ｏ1 以外の外層ｏ部分を透明外層部ｏ2 としたので、収納物の減少に伴って内層ｉが剥離収縮した場合に透明外層部ｏ2 より一見してその状況を把握できる。しかも、装飾強調部12の外層ｏは不透明外層部ｏ1 としているので、装飾強調部12部分の剥離状況は外部から目視出来ず、その結果、その美観を損なうことなく内容物の使用状況を把握できるものである。即ち、例えばその形状の特徴的な部分の外層ｏを透明とすると、収納物の減少に伴って内層ｉが剥がれた際に、その特徴部分に於いて歪んだ状態の内層ｉが透明な外層と重複して目に入りはなはだ美観を損なうが、装飾強調部12の外層を不透明なものとすることでその様な状況を回避し、同時に透明外層部ｏ2 より内層ｉの収縮状態を容易に観察することができるものである。
【００１３】
また、胴部２の表面に加飾部16を塗布又は貼付けし、上記加飾部16部分の外層ｏ部分を少なくとも不透明外層部ｏ1 とし、該不透明外層部ｏ1 以外の外層ｏ部分を透明外層部ｏ2 としたものにあっては、同様に内層の剥離収縮状態で加飾部16の美観が損なわれたり、その伝達表示が見にくくなったりする等の不都合を防止でき、また、内容物の減少程度を観察できるものである。
【発明を実施するための最良の形態】
【００１４】
図１乃至図３は本発明デラミ容器の一例を示すもので、デラミ容器１は、胴部２の上方に口頸部３を起立している。また、口頸部３の上端には注出栓４を嵌着固定している。口頸部３は段部を介して上方を縮径しその外周上部に螺条を周設し、その下部の後述する外層部分に外気導入口５を開口している。注出栓４は、下端を口頸部３下端の大径部分に気密に嵌合させて内周上部を口頸部に螺着させた周壁６上端より頂壁７を延設するとともに、頂壁７中央部よりノズル８を立設しており、周壁６には外部より内部へ一方的に連通させる外気導入弁９を設けている。また、ノズル８内の基端部には収納液を一方的に外方へ吐出させるための吐出弁10を設けている。尚、11はノズル８先端に嵌着したノズルキャップを示す。
【００１５】
デラミ容器１の上記胴部２は犬の形状をなす装飾胴部2aとして構成している。この装飾胴部2aは、図示例の如き動物の形状の外、植物の形状を施しても良く、或いはこれら実在の生物の外に架空の生物或いは建物等の非生物の形状等の物の形状をを模写したものが採用できる。また、これらの形状は比較的写実的なものでも、或いはデフォルメしたものでも良い。
【００１６】
また、デラミ容器１は、全体として保形性のある外層ｏと、その内面に剥離可能に積層した内層ｉとで構成している。基本的には外層ｏを形成する樹脂と、内層ｉを形成する樹脂とをそれぞれ異なるものを使用する。またこれら内外層に使用する樹脂は公知のものが使用できる。そして、内層ｉは収納物の排出により容器内が負圧化した際に剥離して減少した収納物の体積通り収縮する。また、外層ｏは後に詳述する如く、特定した一部を内部の見えない不透明（半透明も含む）に構成するとともに、その他の部分は透明に構成しており、一方、内層ｉは透明であっても不透明或いは半透明であっても良い。また、内層ｉ及び外層ｏはそれぞれ単独の層であるのが基本的であるが、それぞれの一方或いは両方が、積層構造であっても良い。
【００１７】
また、本発明デラミ容器１は、装飾胴部2aを特徴付ける装飾強調部12を構成する外層ｏ部分を少なくとも不透明外層部ｏ1 とし、該不透明外層部ｏ1 以外の外層ｏ部分を透明な透明外層部ｏ2 として形成し、透明外層部ｏ2 より内層ｉの収縮状態を観察できる如く構成している。装飾強調部12は、その形状を特徴付ける部分であり、例えば、比較的複雑な凹凸形状を備えた部分であり、動物であれば顔の部分であり、基本的にはそのものの正面部分が装飾強調部12として採用されるがこれに限られない。不透明外層部ｏ1 は、上記した如く装飾強調部12部分を構成する外層ｏ部分、或いは装飾強調部12部分を含む外層ｏ部分に形成するもので、必ず装飾強調部12を包含している。また、その範囲は装飾強調部の大きさ等の形態に対応させて種々採用できるが、胴部２の周方向半部かそれよりより広く設けると良い。例えば、図示例の如く胴部２の前半部に不透明外層部ｏ1 を設けることにより、正面を向けてデラミ容器１を載置した際に、内層ｉが収縮して外層とダブった状態を隠しやすい。
【００１８】
図示例では、装飾強調部12である前半部の外層ｏを不透明外層部ｏ1 に、その他の後半部の外層ｏを透明外層部ｏ2 として構成している。言い換えれば、装飾胴部2aの前半部を不透明外層部ｏ1 とし、背面部全体に渡って透明外層部ｏ2 を設けている。但し、透明外層部ｏ2 は装飾強調部12の形態にもよるが、内部の収縮状況を観察する目的から比較的全体的に内部を観察できる如く縦幅の大きい透明外層部ｏ2 とすることが好ましい。尚、図示しないが、内外両層間に例えば帯状に縦設した公知の接着層を設けて、内層ｉの良好な剥離状態を企図することも当然可能である。
【００１９】
上記デラミ容器１を使用するに当たっては、図１の状態からノズルキャップ11を外し、胴部２を圧搾することにより吐出弁10を介して収納物をノズル８上端開口より吐出することができる。収納物を吐出後胴部２の圧搾を解くと、外層ｏは弾性復元力により元の状態に戻り、一方内層ｉ内が負圧化することにより吐出弁10が閉じ、内層ｉはその減容状態を維持してその一部が剥離し、また、内外層間が負圧化するため外気導入弁９を介して外気が各層間に導入される。その結果、内層ｉは減少した収納物の体積通りに収縮する。この際、装飾強調部12の外層ｏと内層ｉ部分との剥離が生じた場合でも、その部分は不透明外層部ｏ1 で構成されているため、剥離した内層ｉが見えず美観を損なうことがない。また、透明外層部ｏ2 の存在により内層の収縮状態が見えるため、収納物の残存量の確認を行える。
【００２０】
尚、上記実施例では、本発明デラミ容器１に注出栓４を装着して胴部圧搾により液の注出を行う如く構成した例を説明したが、その使用方法はこれに限られず、例えば、図４に示す如く、口頸部に従来公知の縦型ポンプ13を装着して収納物を吸い上げ注出する如く使用することも当然可能である。上記ポンプ13は、上端の押下げヘッド14を上下動させることにより、内蔵ポンプ機構の作用により収納液をヘッド14より突出したノズル15から注出する如く構成している。尚、ポンプを使用する場合には胴部は圧搾できないものであっても良い。
【００２１】
図５は他の実施例を示すもので、本実施例では、デラミ容器１が、筒状の胴部２より口頸部３を起立した一般的なボトルタイプであり、図１の実施例と同様に外層ｏ内面に剥離可能な内層ｉを積層した積層構造で全体を形成し、また、その胴部２表面に加飾部16を塗布又は張付けしている。上記加飾部16としては、胴部２の表面に印刷により施した絵，模様，文字或いはそれらの組み合わせ等が挙げられる。また、これらの絵等を印刷したシール材を胴部の表面に貼り付けることにより設けても良い。
【００２２】
また、本実施例では加飾部16部分の外層ｏを少なくとも不透明外層部ｏ1 とし、該不透明外層部ｏ1 以外の部分の外層ｏを透明外層部ｏ2 として形成している。従って不透明外層部ｏ1 は加飾部16の大きさと同様であっても良く、加飾部16より大きく外層ｏに設けても良い。加飾部16部分の外層ｏを不透明とすることにより、収納液が減少して内層ｉが剥離した際に加飾部16が見難くなるのを防止し、絵などにあってはその美観を損なうのを防止し、また、文字などにあってはその情報を明確に伝達し難くなる等の不都合を防止できる。また、透明外層部ｏ2 の存在で残液量の確認を行える。図示例では加飾部16を含む胴部２前半部を不透明外層部ｏ1 とし、胴部２の後半部を透明外層部ｏ2 としている。
【００２３】
また、本実施例のデラミ容器１の使用方法として、櫛歯を備えた従来公知の櫛型吐出具17を口頸部３に装着して収納物を櫛歯を介して塗布する如く構成している。この櫛型吐出具17は、口頸部３に螺着した装着キャップ18より立設した柄19の内部より、各櫛歯20内を通り注出孔21に至る流路を備え、図１の実施例と同様に胴部の圧搾により収納液を注出孔21より注出して櫛梳きながらの塗布が行える如く構成したものである。尚、この場合も上記実施例の如き注出栓やポンプ等の他の吐出具装着して使用することも当然可能である。。
【００２４】
上記デラミ容器１を製造するには種々の方法が採用できるが、例えば、パリソンを使用した一般的なブロー成形により形成することができ、その際、例えば不透明外層部形成部と透明外層部形成部とを備えたパリソンを形成し、該パリソンを用いてブロー成形することにより形成することができる。但し、形成方法はこれに限らず、公知方法であれば種々採用できる。また、上記各実施例では、ボトルタイプの容器に関して説明したが、カップ状のものであっても、本発明の要旨を変更しない範囲で適用可能である。
【図面の簡単な説明】
【００２５】
【図１】本発明デラミ容器を示す斜視図である。（実施例１）
【図２】同実施例の縦断面図である。（実施例１）
【図３】同実施例のＡ−Ａ線部分の横断面図である。（実施例１）
【図４】本発明デラミ容器を示す斜視図である。（実施例２）
【図５】本発明デラミ容器を示す斜視図である。（実施例３）
【符号の説明】
【００２６】
２…胴部，2a…装飾胴部，12…装飾強調部，16…加飾部，ｏ…外層，
o1…不透明外層部，o2…透明外層部，ｉ…内層
【図１】
2005132431.tif 000003
【図２】
2005132431.tif 000004
【図３】
2005132431.tif 000005
【図４】
2005132431.tif 000006
【図５】
2005132431.tif 000007